(57)【特許請求の範囲】
【請求項１】
送信側から同時に送信される第１の放送信号と、この第１の放送信号よりも品質の低い第２の放送信号とを切り替えて受信可能な機能を備えた放送受信装置において、
上記第１の放送信号の受信中に上記第２の放送信号の受信が可能であるか否かを判断する第１の判断手段と、
この第１の判断手段によって上記第２の放送信号の受信が可能であると判断された場合に、緊急警報の有無を判断する第２の判断手段と、
この第２の判断手段によって緊急警報ありと判断された場合に、上記第１の放送信号から上記第２の放送信号の受信モードに切り替える受信モード切替え手段と
を具備したことを特徴とする放送受信装置。
【請求項２】
上記受信モード切替え手段は、緊急警報の放送が終了したときのタイミングで、上記第１の放送信号の受信モードに戻すことを特徴とする請求項１記載の放送受信装置。
【請求項３】
受信信号の誤り率を検出する誤り率検出手段を備え、
上記受信モード切替え手段は、上記第２の判断手段によって緊急警報ありと判断された場合に、上記誤り率検出手段によって検出された誤り率が通常放送時の切り替え条件である第１の閾値よりも低く設定された第２の閾値を超えている場合に上記第２の放送信号の受信モードに切り替えることを特徴とする請求項１記載の放送受信装置。
【請求項４】
上記受信モード切替え手段は、緊急警報の放送終了後の誤り率が上記第１の閾値以下であった場合に上記第１の放送信号の受信モードに戻すことを特徴とする請求項３記載の放送受信装置。
【請求項５】
上記受信モード切替え手段によって上記第２の放送信号の受信モードに切り替えられたときの受信信号の誤り率を検出する誤り率検出手段と、
この誤り率検出手段によって検出された誤り率が上記第２の放送信号の受信用に設定された第３の閾値を超えていた場合に、上記誤り率が上記第３の閾値以下で緊急警報を受信可能な他のチャンネルを検索するチャンネル検索手段と
をさらに具備したことを特徴とする請求項１記載の放送受信装置。
【発明の詳細な説明】
【技術分野】
【０００１】
本発明は、例えば車載用の地上波デジタルテレビ受信機などに用いられる放送受信装置に関する。
【背景技術】
【０００２】
日本の地上デジタル放送方式であるＩＳＤＢ−Ｔ（Integrated Services Digital Broadcasting for Terrestrial）方式では、図５に示すように、６ＭＨｚの帯域内に１３個のセグメントを持つことで、セグメント単位で変調方式を変更できることが特徴である。
【０００３】
変調方式の組み合わせは、最大３階層（３種類）である。これによって、複数のセグメントを用いて固定受信向けのサービスを６４ＱＡＭ（Quadrature Amplitude Modulation：直交振幅変調）で行うと同時に、残りのセグメントで移動受信向けのサービスをＱＰＳＫ（Quadrature Phase Shift Keying：４相位相変調）で行うサービスなどを可能としている。各セグメントの変調方式の情報は、ＴＭＣＣ（Transmission and Multiplex Configuration and Control：伝送多重制御）によって伝送される。
【０００４】
また、中央の１セグメント（図５の斜線で示す部分）について、セグメント横断的な周波数インターリーブ（並び替え）を行わないことによって、その１セグメントのみを部分受信することが可能である。
【０００５】
ここで、送信側（放送局）において、「１２セグメント放送」と呼ばれる高品質の放送信号と、「１セグメント放送」と呼ばれる低品質の放送信号を用いて同じ内容の情報を同時に放送するサービスがある。これを階層化伝送サービスと呼ぶ。
【０００６】
なお、１２セグメント放送とは、上記１３個のセグメントのうちの１２個を利用した高品質放送サービスのことである。この１２セグメント放送では、比較的高い受信Ｃ／Ｎ（キャリアノイズ比）を必要とし、例えば固定受信向けの高精細テレビ：ＨＤＴＶ（High Definition Television）など、高品質の映像の伝送に利用される。一方、１セグメント放送とは、残りの１セグメントを利用した低品質放送サービスのことである。この１セグメント放送では、ノイズに強く、低い受信Ｃ／Ｎでも受信可能である。ただし、大量の情報を伝送できないため、基本情報や低品質の映像の伝送に限られる。
【０００７】
階層化伝送サービスでは、送信側（放送局）から同一内容の情報が高品質放送と低品質放送で送られてくる。受信側では、そのどちらも受信可能であるが、通常の状態では高品質放送の受信モードに設定されており、高品質の情報を再生する。また、受信状況が悪く、Ｃ／Ｎ比が低下している場合には、低品質放送の受信モードに切り替えて高品質の情報を再生する。
【０００８】
また、このような高品質放送と低品質放送の受信モードを切り替る方法として、受信信号の誤り率（ビット・エラー・レート）を検出し、その誤り率が所定の閾値を超えたときに低品質の放送情報を受信するように自動的に受信モードを切り替える技術が知られている（例えば、特許文献１参照）。これにより、例えば降雨や障害物などによって電波受信状況が悪くなっても、低品質放送に自動的に切り替えられて放送内容を続けて視聴することができる。
【特許文献１】特開２００１−１１１６４２号公報
【発明の開示】
【発明が解決しようとする課題】
【０００９】
例えば、地震や津波などの発生した場合において、各放送局から一斉に緊急警報が放送される。この場合、上述した高品質放送（１２セグメント放送）と低品質放送（１セグメント放送）の両方で緊急警報情報が送出され、受信側では、そのどちらかの放送を受けることが可能である。
【００１０】
しかしながら、車両などの移動体に搭載された地上波デジタルテレビ受信機では、受信エリアが固定されていないため、そのときの場所によって上記緊急警報情報を安定して受信できない問題がある。
【００１１】
すなわち、図６に示すように、地上デジタル放送では、同じ放送局Ｐ０から発信される電波であっても、１２セグメント放送と１セグメント放送のエリアＥ１，Ｅ２が異なり、１２セグメント放送のエリアＥ１は１セグメント放送のエリアＥ２に比べて狭い。この場合、１２セグメント放送のエリアＥ１を半径Ｌ１の範囲とすると、１セグメント放送のエリアＥ２を半径Ｌ２（＞Ｌ１）の範囲となる。これは、変調方式の違いによるもので、１２セグメント放送は６４ＱＡＭの変調方式によって高品質放送を実現しているため、高品質の情報は送られても、その範囲は極めて狭くなる。一方、１セグメント放送はＱＰＳＫの変調方式により低品質ながらも、その放送エリアを広く取ることができる。
【００１２】
今、地上波デジタルテレビ受信機を搭載した車両ＱがエリアＥ１内で１２セグメント放送を受信しながら移動中であるとする。ここで、緊急警報が放送されたとき、車両ＱがエリアＥ１とエリアＥ２の境界付近を移動していると、１２セグメント放送を安定して受信できず、緊急警報の内容を聞き逃してしまう可能性がある。
【００１３】
この場合、上記特許文献１のように誤り率だけで受信モードの自動切り替えを行う方法では、上記エリアＥ１とエリアＥ２の境界付近の不安定な状況下において、１セグメント放送への切り替えがなされるとは限らないため、緊急警報を確実に受信することはできない。
【００１４】
本発明は上記のような点に鑑みなされたもので、移動中の不安定な状況で緊急警報が放送された場合でも、その緊急警報を確実に受信することのできる放送受信装置を提供することを目的とする。
【課題を解決するための手段】
【００１５】
本発明の一観点による放送受信装置によれば、送信側から同時に送信される第１の放送信号と、この第１の放送信号よりも品質の低い第２の放送信号とを切り替えて受信可能な機能を備えた放送受信装置において、上記第１の放送信号の受信中に上記第２の放送信号の受信が可能であるか否かを判断する第１の判断手段と、この第１の判断手段によって上記第２の放送信号の受信が可能であると判断された場合に、緊急警報の有無を判断する第２の判断手段と、この第２の判断手段によって緊急警報ありと判断された場合に、上記第１の放送信号から上記第２の放送信号の受信モードに切り替える受信モード切替え手段とを具備した構成される。
【発明の効果】
【００１６】
本発明によれば、高品質放送である第１の放送信号の受信中に緊急警報を検出した際に、低品質放送である第２の放送信号の受信モードに切り替えるようにしたことで、移動中の不安定な状況で緊急警報が放送された場合でも、その緊急警報を確実に受信することができる。
【発明を実施するための最良の形態】
【００１７】
以下、図面を参照して本発明の実施形態を説明する。
【００１８】
（第１の実施形態）
図１は本発明の第１の実施形態に係る地上デジタル放送を受信可能な放送受信装置の構成を示すブロック図である。なお、この放送受信装置は、例えば車載用の地上波デジタルテレビ受信機として用いられ、移動中に１２セグメント放送（第１の放送信号）から１セグメント放送（第２の放送信号）への受信モードの切り替え機能を備える。
【００１９】
図１に示すように、本実施形態における放送受信装置は、受信アンテナ１１、チューナ１２、ＯＦＤＭ（Orthogonal Frequency Division Multiplexing：直交周波数分割多重）復調部１３、誤り訂正部１４、多重分離部１５、ＭＰＥＧ（Moving Picture Experts Group）デコード部１６、画像重畳部１７、制御部１８、表示部１９、スピーカ２０を備える。
【００２０】
受信アンテナ１１によって受信されたデジタル伝送信号は、チューナ１２により周波数変換された後、ＯＦＤＭ復調部１３によって復調される。そして、誤り訂正部１４により誤り訂正処理が行われ、放送局から送り出されたＴＳ（Transport Stream）パケットに戻される。ＴＳパケットには、映像・音声のパケット以外にデータ放送や電子番組表：ＥＰＧ（Electric Program Guide）、選局に必要な情報などが含まれている。なお、地上デジタル放送では、１つの伝送チャンネルで複数の番組を同時に放送することが可能なので、複数の番組が同じＴＳとして送られて来ることがある。
【００２１】
多重分離部１５では、ＴＳパケットを目的別に分離し、映像・音声のパケットであれば、ＭＰＥＧデコード部１６へ送り、データ放送のパケットであれば、制御部１８へ送る。この多重分離部１５によって得られた映像信号と音声信号は、ＭＰＥＧデコード部１６により正規の信号に復元され、表示部１９（ＴＶモニタ）やスピーカ２０などの外部出力装置へ出力される。
【００２２】
制御部１８は、本装置全体の制御を行うものである。この制御部１８は、マイクロプロセッサからなり、ＲＯＭ等の記録媒体に記録されたプログラムを読み込むことにより、そのプログラムに記述された手順に従って各種処理を実行する。
【００２３】
さらに、この放送受信装置には、緊急警報の受信時に、１２セグメント放送と１セグメント放送のいずれかの受信モードに切り替えを行うために、ＴＭＣＣ（Transmission and Multiplexing Configuration Control：伝送多重構成制御）検出部２１、ＢＥＲ（Bit Error Rate）検出部２２、切替信号発生部２３を備える。
【００２４】
ＴＭＣＣ検出部２１は、ＯＦＤＭ信号に含まれるＴＭＣＣ信号を検出する。ＴＭＣＣ信号は、デジタル放送の変調方式などを示した信号である。図７に示すように、このＴＭＣＣ信号は、システム識別フラグＤ１、伝送パラメータ切替指標フラグＤ２、起動制御信号フラグＤ３、カレント情報フラグＤ４、ネクスト情報フラグＤ５、連結送信位相補正量Ｄ６を含む。
【００２５】
識別フラグＤ１は、地上デジタルテレビジョン放送システムまたは地上デジタル音声放送システムを識別するための情報である。つまり、このシステム識別フラグＤ１では、デジタルテレビまたはデジタルラジオを指定する。
【００２６】
伝送パラメータ切替指標フラグＤ２は、受信機に切り替えの通知とタイミングの通知を行うものである。
【００２７】
起動制御信号フラグＤ３は、「起動制御なし」または「起動制御あり（緊急警報信号を伝送する場合）」を識別するための情報である。
【００２８】
カレント情報フラグＤ４は、現在放送中の情報の形式を示すものであり、部分受信フラグとＡ階層〜Ｃ階層の３つの伝送パラメータ情報を含む。部分受信フラグで、「部分受信なし」または「部分受信あり」を識別できる。なお、ここで言う部分受信とは、低品質放送である１セグメント放送を受信可能であることを意味している。また、Ａ階層〜Ｃ階層の伝送パラメータ情報は、変調方式が異なる３つの階層を区別するための情報であって、キャリア変調マッピング方式、畳込み符号化率、時間インターリーブの長さ、セグメント数などを識別できる。
【００２９】
ネクスト情報フラグＤ５では、次に放送される情報を識別できる。また、連結送信位相補正量Ｄ６は、連結送信を行う場合の位相の補正量を示す情報である。
【００３０】
ＢＥＲ検出部２２は、受信信号の誤り率を検出し、その検出結果を切替信号発生部２３に出力する。なお、このＢＥＲ検出部２２は、後述する第２および第３の実施形態で用いる。切替信号発生部２３は、１２セグメント放送と１セグメント放送の受信モードの切り替えを行う。
【００３１】
次に、第１の実施形態の動作について説明する。  
なお、以下の各フローチャートで示される処理は、マイクロコンピュータである制御部１８が所定のプログラムを読み込むことにより実行される。他の実施形態においても同様であり、それぞれの実施形態に対応したプログラムを制御部１８が読み込むことで実行される。
【００３２】
第１の実施形態では、１２セグメント放送受信中に緊急警報が放送されたときに、１２セグメント放送から１セグメント放送に切り替え、緊急警報の終了後に１２セグメント放送に戻すことを特徴としている。
【００３３】
図２は第１の実施形態における放送受信装置の処理動作を示すフローチャートである。今、階層化伝送サービスにより１２セグメント放送と１セグメント放送が同時送信されており、受信側である本装置では、通常の受信状態において１２セグメント放送を受信しているものとする。
【００３４】
また、地震や津波などの災害情報を伝える手段として、地上デジタル放送ではＯＦＤＭフレーム中にＴＭＣＣ信号がある。さらに、そのＴＭＣＣ信号の中には、部分受信（１セグメント放送）の有無を示すフラグ（図７のカレント情報フラグＤ４）と、緊急警報（ＥＷＳ：Emergency Warning System）が放送中であるか否かを示すフラグ（図７の起動制御信号フラグＤ３）が付加されている。
【００３５】
図２に示すように、１２セグメント放送を受信中に（ステップＡ１１）、ＴＭＣＣ検出部２１によって部分受信（１セグメント放送）が検出され（ステップＡ１２のＹｅｓ）、さらに、緊急警報が放送されていることが検出されると（ステップＡ１３のＹｅｓ）、切替信号発生部２３によって１２セグメント放送から１セグメント放送の受信モードへ切り替えるための信号がＭＰＥＧデコード部１６に出力される（ステップＡ１４）。
【００３６】
これにより、１セグメント放送の受信モードに切り替えられ、その１セグメント放送で送られてくる緊急警報が表示部１９およびスピーカ２０を通じて再生出力される（ステップＡ１５）。また、ＴＭＣＣ信号の起動制御信号が緊急警報なしとなるまで、１セグメント放送の再生が継続される（ステップＡ１６のＹｅｓ）。
【００３７】
緊急警報の放送が終了すると（ステップＡ１６のＮｏ）、切替え信号発生部２３から１セグメント放送から１２セグメント放送の受信モードへ切り替えるための信号がＭＰＥＧデコード部１６に出力され、１２セグメント放送の受信状態に戻る（ステップＡ１７）。
【００３８】
このように、地震、津波などの災害情報を伝える緊急警報が放送された場合に、１２セグメント放送よりもノイズに強く、受信Ｃ／Ｎの低い特性を有する１セグメント放送に切り替えることで、緊急警報を確実に受信することができる。
【００３９】
また、図６で説明したように、１セグメント放送は１２セグメント放送よりもエリアが広い。したがって、例えば本装置を搭載した車両Ｑが１２セグメント放送のエリアＥ１と１セグメント放送のエリアＥ２の境界付近を移動中に緊急警報が放送された場合でも、１セグメント放送への切替えによって、そのときの緊急警報を安定して受信できる。なお、１セグメント放送は１２セグメント放送に比べて画像等の品質は低下するものの、緊急警報では、品質よりもその内容を確実に伝えることが重要であることから、特に問題とはならない。
【００４０】
さらに、緊急警報の放送終了後は１２セグメント放送の受信モードに自動的に切り替えられるため、ユーザは特に意識しなくとも、１２セグメント放送をそのまま視聴することが可能である。
【００４１】
（第２の実施形態）
次に、第２の実施形態について説明する。  
第２の実施形態では、受信信号の誤り率を加味して１２セグメント放送と１セグメント放送の切り替えを行うことを特徴としている。
【００４２】
なお、装置構成としては、図１に示したＢＥＲ検出部２２を用いること以外は基本的には上記第１の実施形態と同様であるため、ここではフローチャートを参照しながら処理的な違いについて説明する。
【００４３】
図３は第２の実施形態における放送受信装置の処理動作を示すフローチャートである。上記第１の実施形態と同様に、今、階層化伝送サービスにより１２セグメント放送と１セグメント放送が同時送信されており、受信側である本装置では、通常の受信状態において１２セグメント放送を受信しているものとする。
【００４４】
図３に示すように、１２セグメント放送を受信中に（ステップＢ１１）、ＴＭＣＣ検出部２１によって部分受信（１セグメント放送）が検出された場合において（ステップＢ１２のＹｅｓ）、上述したＭＣＣ信号に付加された起動制御信号フラグＤ３に基づいて緊急警報の有無が判断される（ステップＢ１３）。
【００４５】
ここで、緊急警報なしの場合には（ステップＢ１３のＮｏ）、ＢＥＲ検出部２２によって検出される受信信号の誤り率が予め設定された閾値１を超えた場合に（ステップＢ１４のＹｅｓ）、切替信号発生部２３によって１２セグメント放送から１セグメント放送の受信モードへ切り替えるための信号がＭＰＥＧデコード部１６に出力される（ステップＢ１５）。
【００４６】
これにより、例えば降雨や障害物などの影響で受信状況が悪く、受信Ｃ／Ｎが低下している場合において、１セグメント放送に切り替えられことになる（ステップＢ１６）。以後は、受信状況が回復し、誤り率が閾値１以下となったときに、１２セグメント放送に戻される。
【００４７】
一方、緊急警報ありの場合には（ステップＢ１３のＹｅｓ）、ＢＥＲ検出部２２によって検出される受信信号の誤り率が閾値２を超えているか否かが判断される（ステップＢ１７）。この場合、閾値２は、通常放送時の切替え条件である閾値１よりも低く設定されている。つまり、同じ受信状況であっても、緊急警報の放送時には通常放送時よりも早く１セグメントへの切替えを行うべく、誤り率の閾値が低く設定されている。
【００４８】
受信信号の誤り率が閾値２を超えていた場合には（ステップＢ１７のＹｅｓ）、切替信号発生部２３によって１２セグメント放送から１セグメント放送の受信モードへ切り替えるための信号がＭＰＥＧデコード部１６に出力される（ステップＢ１８）。
【００４９】
これにより、１セグメント放送の受信モードに切り替えられ、その１セグメント放送で送られてくる緊急警報が表示部１９およびスピーカ２０を通じて再生出力される（ステップＢ１９）。また、ＴＭＣＣ信号の起動制御信号が緊急警報なしとなるまで、１セグメント放送の再生が継続される（ステップＢ２０のＹｅｓ）。
【００５０】
１２セグメントへの復帰は、上述した通常放送時の切替え条件である閾値１との比較により行う。すなわち、緊急警報の放送終了後において（ステップＢ２０のＮｏ）、受信信号の誤り率と閾値１とを比較した結果、誤り率が閾値１を超えていた場合には（ステップＢ２１のＹｅｓ）、そのまま１セグメント放送の受信モードが継続される（ステップＢ１９）。一方、誤り率が閾値１以下であった場合には（ステップＢ２１のＮｏ）、１２セグメント放送の受信モードに切り替えられる（ステップＢ２２）。
【００５１】
このように、緊急警報が放送された際に、受信信号の誤り率に応じて受信モードの切り替えを行うことで、１２セグメント放送では受信が困難な状況でのみ、１セグメント放送に切り替えて緊急警報を受信することができる。この場合、通常放送時の切替え条件である閾値１よりも高く設定された閾値２に基づいて１セグメント放送の受信モードに切り替えられるため、同じ受信状況下にあっても、緊急警報については１セグメント放送への早めの切替えにより確実に受信することができる。
【００５２】
（第３の実施形態）
次に、本発明の第３の実施形態について説明する。  
第３の実施形態では、１２セグメント放送から１セグメント放送の受信モードに切り替えられた際に、受信信号の誤り率が低い場合に他チャンネルをスキャンすることを特徴としている。
【００５３】
なお、装置構成としては、図１に示したＢＥＲ検出部２２を用いること以外は基本的には上記第１の実施形態と同様であるため、ここではフローチャートを参照しながら処理的な違いについて説明する。
【００５４】
図４は第３の実施形態における放送受信装置の処理動作を示すフローチャートである。上記第１の実施形態と同様に、今、階層化伝送サービスにより１２セグメント放送と１セグメント放送が同時送信されており、受信側である本装置では、通常の受信状態において１２セグメント放送を受信しているものとする。
【００５５】
図４に示すように、１２セグメント放送を受信中に（ステップＣ１１）、ＴＭＣＣ検出部２１によって部分受信（１セグメント放送）が検出された場合において（ステップＣ１２のＹｅｓ）、上述したＭＣＣ信号に付加された起動制御信号フラグＤ３に基づいて緊急警報の有無が判断される（ステップＣ１３）。
【００５６】
緊急警報ありの場合には（ステップＣ１３のＹｅｓ）、ＢＥＲ検出部２２によって検出される受信信号の誤り率が閾値２を超えているか否かが判断される（ステップＣ１４）。上記第２の実施形態で説明したように、この閾値２は、通常放送時の切替え条件である閾値１よりも高く設定されている。つまり、同じ受信状況であっても、緊急警報の放送時には通常の放送時よりも早く１セグメントへの切替えを行うべく、誤り率の閾値が高めに設定されている。
【００５７】
受信信号の誤り率が閾値２を超えていた場合には（ステップＣ１４のＹｅｓ）、切替信号発生部２３によって１２セグメント放送から１セグメント放送の受信モードへ切り替えるための信号がＭＰＥＧデコード部１６に出力される（ステップＣ１５）。
【００５８】
これにより、１セグメント放送の受信モードに切り替えられ、その１セグメント放送で送られてくる緊急警報が表示部１９およびスピーカ２０を通じて再生出される（ステップＣ１６）。
【００５９】
ここで、１セグメント放送の再生中に、ＴＭＣＣ検出部２１によって検出される受信号の誤り率が監視されており、その誤り率が予め設定された閾値３以下であれば（ステップＣ１７のＮｏ）、そのまま同じチャンネルにて緊急警報の受信が続けられる（ステップＣ１８のＹｅｓ）。なお、上記閾値３は、図６に示した１セグメント放送受信用に設定されたものであり、上記閾値１，２とは無関係である。
【００６０】
緊急警報の放送が終了すると（ステップＣ１８のＮｏ）、切替え信号発生部２３から１セグメント放送から１２セグメント放送の受信モードへ切り替えるための信号がＭＰＥＧデコード部１６に出力され、１２セグメント放送の受信状態に戻る（ステップＣ１９）。
【００６１】
一方、１セグメント放送の再生中に受信信号の誤り率が閾値３を超えた場合には（ステップＣ１７のＹｅｓ）、受信状況が悪化したものと判断され、他のチャンネルにおいて緊急警報を受信するべくチャネルスキャンが実行される（ステップＣ２０）。その結果、誤り率が閾値３以下で緊急放送を受信可能なチャンネルが検索された場合には（ステップＣ２１のＹｅｓ）、そのチャンネルへの設定変更がなされ、そのチャンネルで放送されている緊急警報が受信されて再生されることになる（ステップＣ２２）。なお、緊急時には、特定の放送局に限らず、複数の放送局からほぼ同時に緊急警報が放送される。
【００６２】
このように、１セグメント放送受信中における誤り率に応じて他のチャンネルへの切り替えを行うようにしたことで、例えば緊急警報を受信中に他の場所に移動するなどして受信状況が急に悪化したとしても、他のチャンネルにて引き続き緊急警報を受信することができる。
【００６３】
なお、上記各実施形態では、１２セグメント放送と１セグメント放送を例にして説明したが、本発明はそのセグメント数に限定されるものではなく、第１の放送信号とその第１の放送信号よりも品質の低い第２の放送信号によって緊急警報が同時に送出されるようなシステムであれば、そのすべてに適用可能である。
【００６４】
要するに、本発明は上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６５】
【図１】図１は本発明の第１の実施形態に係る地上デジタル放送を受信可能な放送受信装置の構成を示すブロック図である。
【図２】図２は第１の実施形態における放送受信装置の処理動作を示すフローチャートである。
【図３】図３は第２の実施形態における放送受信装置の処理動作を示すフローチャートである。
【図４】図４は第３の実施形態における放送受信装置の処理動作を示すフローチャートである。
【図５】図５は地上デジタル放送方式に従ったセグメントの概念を説明するための図である。
【図６】図６は１２セグメント放送と１セグメント放送のエリアの説明するための図である。
【図７】図７は地上デジタル放送におけるＯＦＤＭ信号に含まれるＴＭＣＣ信号の構成を説明するための図である。
【符号の説明】
【００６６】
１１…受信アンテナ、１２…チューナ、１３…ＯＦＤＭ復調部、１４…誤り訂正部、１５…多重分離部、１６…ＭＰＥＧデコード部、１７…画像重畳部、１８…制御部、１９…表示部、２０…スピーカ、２１…ＴＭＣＣ検出部、２２…ＢＥＲ検出部、２３…切替え信号発生部、Ｅ１…１２セグメント放送のエリア、Ｅ２…１セグメント放送のエリア、Ｌ１…１２セグメント放送のエリアの半径、Ｌ２…１セグメント放送のエリアの半径、Ｐ０…放送局、Ｑ…車両、Ｄ１…システム識別フラグ、Ｄ２…伝送パラメータ切替指標フラグ、Ｄ３…起動制御信号フラグ、Ｄ４…カレント情報フラグ、Ｄ５…ネクスト情報フラグ、Ｄ６…連結送信位相補正量。
【図１】
0004643406.tif 000002
【図２】
0004643406.tif 000003
【図３】
0004643406.tif 000004
【図４】
0004643406.tif 000005
【図５】
0004643406.tif 000006
【図６】
0004643406.tif 000007
【図７】
0004643406.tif 000008